(57)【要約】【課題】布基礎やベタ基礎等の基礎の立ち上がり部の途中に形成される連通口をコンクリート打設時に簡単に形成することができる連通口用の仕切り枠セットを提供すること。【解決手段】基礎の立ち上がり部を形成するために対面配置する型枠１５の上に載置される天板１と、天板１と対向する底面に配置される所定長さの底板３と、天板１の左右寄りに形成された基礎の立ち上がり部の厚み方向に延びるスリット部４Ａ、４Ｂ内に嵌挿され、スリット部４Ａ、４Ｂ内で保持されるとともに底板３の端部３ａにその下端部内面が接することで垂直に起立させられる対面配置される型枠１５の間隔に対応した一対のせき板２と、を有すようにした。【選択図】図１
2020094368.tif 000002
【特許請求の範囲】
【請求項１】
建築物の基礎用コンクリートを打設する際に連通口予定位置の周囲に配置することで基礎用コンクリートの流入を阻止して基礎の立ち上がり部に連通口を形成するために使用される連通口用の仕切り枠セットであって、
前記基礎の立ち上がり部を形成するために対面配置する型枠の上に載置される天板と、前記天板と対向する底面に配置される所定長さの間隔保持部材と、前記天板の左右寄りに形成された前記基礎の立ち上がり部の厚み方向に延びるスリット内に嵌挿され、前記スリット内で保持されるとともに前記間隔保持部材の端部にその下端部内面が接することで垂直に起立させられる対面配置される前記型枠の間隔に対応した一対のせき板と、を有することを特徴とする連通口用の仕切り枠セット。
【請求項２】
前記天板を前記型枠上に固定する固定手段を備えていることを特徴とする請求項１に記載の連通口用の仕切り枠セット。
【請求項３】
前記せき板は両端位置に屈曲して形成された屈曲部を備えており、前記天板の前記スリットの両端に連接した位置には前記屈曲部を通過させるための屈曲部用通路が形成されていることを特徴とする請求項３に記載の連通口用の仕切り枠セット。
【請求項４】
前記せき板は幅の異なる複数種類が用意され、前記屈曲部用通路は異なる幅の前記せき板の前記屈曲部が干渉せず配置できる幅を有していることを特徴とする請求項３に記載の連通口用の仕切り枠セット。
【請求項５】
前記スリットは前記天板の端部側が一部カットされて外方に開放されていることを特徴とする請求項１〜４のいずれかに記載の連通口用の仕切り枠セット。
【請求項６】
前記スリットは左右一方の側に複数が接近して平行に配置されていることを特徴とする請求項１〜５のいずれかに記載の連通口用の仕切り枠セット。
【請求項７】
複数が平行に配置された前記スリットのうちの少なくとも１つはアンカーボルトの干渉を避けるために前記天板に形成された透孔と交差していることを特徴とする請求項６に記載の連通口用の仕切り枠セット。
【請求項８】
前記天板には対面配置された前記型枠間を連結する間隔保持金具を係合する一対の第１の切り欠き部が形成されていることを特徴とする請求項１〜７のいずれかに記載の連通口用の仕切り枠セット。
【請求項９】
前記天板には異なる幅となる前記型枠間に前記間隔保持金具を係合させるための異なる間隔の一対の第２の切り欠き部が形成されていることを特徴とする請求項８に記載の連通口用の仕切り枠セット。
【発明の詳細な説明】
【技術分野】
【０００１】
本発明は、例えば布基礎やベタ基礎等の基礎の立ち上がり部の途中に形成される連通口をコンクリート打設時に形成するための連通口用の仕切り枠セット等に関するものである。
【背景技術】
【０００２】
従来から木造建築物の布基礎やベタ基礎等の基礎の立ち上がり部の途中には、例えば点検や配線・配管等のための連通口が形成される。連通口は一般に基礎用の型枠をセッティングしてその内部にコンクリートを打設する際に「せき板（堰板）」でコンクリートの流入を一部阻止することで形成される。このような連通口に関する先行技術の一例として特許文献１を示す。特許文献１には、連通口としての床下出入口２２をせき板としての仕切り枠１、７で形成する技術が開示されている。
【先行技術文献】
【特許文献】
【０００３】
【特許文献１】実開平６−８２２９１号公報
【発明の概要】
【発明が解決しようとする課題】
【０００４】
しかし、特許文献１の技術（特許文献１に限らず）では、連通口を形成する予定位置において一々その連通口の間隔を計測し基礎用の型枠と一緒に仕切り枠１、７を配置することが必要になる。更に、仕切り枠１、７の位置決め後に仕切り枠１、７間に仕切り枠固定金具１７を配置する。つまり、床下出入口２２（連通口）ごとに仕切り枠１、７を含めた周辺の部材を計測しながらセッティングしていかなければならず面倒であった。また、せき板としての仕切り枠１、７がコンクリートに押圧されて傾いてしまう可能性もあり、確実にせき板を垂直に支持できることも求められていた。
本発明は、主として上記の課題等を解決した連通口用の仕切り枠セットを提供するものである。
【課題を解決するための手段】
【０００５】
手段１として、建築物の基礎用コンクリートを打設する際に連通口予定位置の周囲に配置することで基礎用コンクリートの流入を阻止して基礎の立ち上がり部に連通口を形成するために使用される連通口用の仕切り枠セットであって、前記基礎の立ち上がり部を形成するために対面配置する型枠の上に載置される天板と、前記天板と対向する底面に配置される所定長さの間隔保持部材と、前記天板の左右寄りに形成された前記基礎の立ち上がり部の厚み方向に延びるスリット内に嵌挿され、前記スリット内で保持されるとともに前記間隔保持部材の端部にその下端部内面が接することで垂直に起立させられる対面配置される前記型枠の間隔に対応した一対のせき板と、を有するようにした。
【０００６】
このような連通口用の仕切り枠セットを使用すると、建築物の基礎用コンクリートを打設する際の連通口を形成する際のこれらセットの設置が容易であり、セットとしても嵩張ることがなく取り扱いにおいて有利である。
「建築物の基礎」とは本発明の趣旨から基礎に立ち上がり部を有し、その立ち上がり部の一部に出入りできる連通口を形成する場合である。基礎の概念には布基礎もベタ基礎も含む。
「天板」は型枠の上に載置される部材である。硬質で丈夫で耐候性があれば素材は例えば金属製でもプラスチックでも木材でもよい。軽量化のために必要な部分以外の肉をカットしてもよい。例えば天板中央位置に大きな透孔を形成するようにしてもよい。それによって透孔から型枠で挟まれた内部をのぞき込むことができ、内部の点検も容易になる。
「スリット」は細溝であって基礎の立ち上がり部の厚み方向に延びる構成である。「基礎の立ち上がり部の厚み方向」は言い換えれば型枠の面方向に直交する方向でもある。スリットは本発明の目的からせき板が挿入できて前後から支えて起立させられる構造であればせき板前面を支えなくともよく、ごく短い溝構造でもここにいう「スリット」の概念である。また、部分的に切れ目があっていくつかの部分に分かれていてもよい。
「間隔保持部材」は硬質で丈夫で耐候性があれば素材は例えば金属製でもプラスチックでも木材でもよい。形状もせき板の間隔を保持できる形状であれば問わない。
「せき板」は垂直に起立させられた状態で天板のスリット周縁と間隔保持部材の端部によって支えられるため、天板が載置される型枠の高さよりも長い。また、対面配置される型枠の間隔と同幅とされる。同幅としないと隙間から打設したコンクリートが連通口側に流入してしまうからである。そのため、一般にせき板は方形形状（主として長方形）に構成される。型枠の間隔が変更された場合にはせき板の幅の異なる種類がそれに応じて使用される。せき板は一枚のパーツで構成しても複数のパーツを組み合わせて構成してもどちらでもよい。
以上の語句の説明は以下の手段においても同様である。
【０００７】
また、手段２として、前記天板を前記型枠上に固定する固定手段を備えているようにした。
天板を型枠上に固定することで連通口の位置がずれたり、せき板の垂直度がずれたりせず、確実に予定された連通口を形成することが可能となるからである。固定手段は例えばクランプ装置であって天板を型枠に対して締め付けるようにすることがよい。また、くさび部材を天板を型枠の間に打ち込むようにしてもよい。また、ボルトとナットのような締結具を使用して天板を型枠に固定してもよい。
また、手段３として、前記せき板は両端位置に屈曲して形成された屈曲部を備えており、前記天板の前記スリットの両端に連接した位置には前記屈曲部を通過させるための屈曲部用通路が形成されているようにした。
せき板をまったくの平板で構成することも可能であるが、同じ厚みであればこのように屈曲部を設けることで曲げ応力が向上するからである。屈曲部はせき板の左右位置に上下にわたって形成してもよく、部分的に屈曲部を設けるようにしてもよい。このように屈曲部を形成した場合にはその屈曲部を嵌挿させるための屈曲部用通路を天板に形成することがよい。
また、手段４として前記せき板は幅の異なる複数種類が用意され、前記屈曲部用通路は異なる幅の前記せき板の前記屈曲部が干渉せず配置できる幅を有しているようにした。
基礎の立ち上がり部の幅の規格は１つではなく建築物の大きさ等に応じていくつかの幅で作成されるものである。そのため、立ち上がり部の幅（つまり対面配置された型枠の間隔）に応じてせき板の幅も変わってくる。屈曲部はせき板の両端位置に形成されるため屈曲部の位置はせき板の幅が異なると延出される位置も異なってしまう。そのため、屈曲部用通路をこのように幅をもたせて構成することで、幅の異なるせき板であっても屈曲部が干渉することなく使用することが可能となる。
【０００８】
また手段５として、前記スリットは前記天板の端部側が一部カットされて外方に開放されているようにした。
このように天板の端部側が一部カットされて外方に開放されていると、スリット内に嵌挿されたせき板に対してカットされた位置にレベル（垂直度測定器）をあててせき板が底面に対して垂直に起立しているかどうかを測定しやすく、また、測定した結果を見る際にも天板が邪魔になることがなくなる。
また、手段６として、前記スリットは左右一方の側に複数が接近して平行に配置されているようにした。
これによって１つのセットで様々な長さの連通口を形成することが可能となる。
また手段７として、複数が平行に配置された前記スリットのうちの少なくとも１つはアンカーボルトの干渉を避けるために前記天板に形成された透孔と交差しているようにした。
これによって、所定間隔で基礎の立ち上がり部に埋設されているアンカーボルトとの干渉を避けることができる。様々な長さの連通口を形成しない場合には天板は連通口位置に配置されるため、アンカーボルトとの干渉はないが、様々な長さ（幅）の連通口を形成する場合には最も短い長さの連通口を形成するよりも外側まで天板は長く構成されることとなる。その場合に天板がアンカーボルトと交差する位置関係となるケースがあるため、そのような場合に透孔を形成して干渉を避けることが可能となる。
【０００９】
また手段８として、前記天板には対面配置された前記型枠間を連結する間隔保持金具を係合する一対の第１の切り欠き部が形成されているようにした。
基礎の立ち上がり部を形成しない連通口形成位置にも型枠が配置されるため、このように間隔保持金具を係合するための一対の第１の切り欠き部を設けることで連通口形成位置の型枠の形状維持が可能となる。
また手段９として、前記天板には異なる幅となる前記型枠間に前記間隔保持金具を係合させるための異なる間隔の一対の第２の切り欠き部が形成されているようにした。
これによって型枠間の間隔が変わって第１の切り欠き部が使用できない場合にも第２の切り欠き部を使用して間隔保持金具を係合させることが可能となる。
【発明の効果】
【００１０】
本発明によれば、建築物の基礎用コンクリートを打設する際の連通口を形成する際にこれらセットの設置が容易に行え、セットとしても嵩張ることがなく取り扱いにおいて有利である。
【図面の簡単な説明】
【００１１】
【図１】実施の形態の仕切り枠セットの一部をなす天板の斜視図。
【図２】同じ仕切り枠セットの一部をなすせき板の一部破断斜視図。
【図３】（ａ）〜（ｃ）は基礎の立ち上がり部のコンクリート施工用の型枠と仕切り枠の組み立て状態を説明する説明図。
【図４】（ａ）及び（ｂ）は基礎の立ち上がり部のコンクリート施工用の型枠と仕切り枠の組み立て状態を説明する説明図。
【図５】基礎の立ち上がり部の連通口付近を説明する斜視図。
【図６】狭い間隔で対面配置した型枠の上にせき板を配置して異なる間隔のスリット間の寸法を説明する説明図。
【図７】（ａ）〜（ｃ）は第１及び第４のスリットの設計手法を説明する説明図。
【図８】（ａ）〜（ｃ）は第２及び第３のスリットの設計手法を説明する説明図。
【図９】間隔保持金具の側面図。
【図１０】他の実施の形態の仕切り枠セットの一部をなす天板の斜視図。
【発明を実施するための形態】
【００１２】
以下、本発明の一実施の形態である連通口用の仕切り枠セットについて図面に基づいて説明する。以下、サイズは一例であって、他のサイズの部材とすることは自由である。
本実施の形態の連通口用の仕切り枠セットは天板１、せき板２、間隔保持部材としての底板３を主要な部材として有している。まず、天板１について説明する。
図１、図３、図６等に示すように、天板１は長方形形状のステンレス合金製の板材をプレス加工によって部分的に打ち抜いて加工成形した部材である。打ち抜かれた際の角部はすべて尖らないように丸く面取り状に形成されている。天板１の短辺側長さ（幅）は２２２ｍｍ、長辺側長さは６４５ｍｍとされている。
【００１３】
天板１には長さ方向左右寄りにせき板２を嵌挿させるための複数のスリット部４Ａ〜４Ｄが形成されている。本実施の形態では一方の側に第１のスリット部４Ａが、他方の側に第２〜第４のスリット部４Ｂ〜４Ｄが形成されている。第１のスリット部４Ａと他方の側の最も外側に配置される第４のスリット部４Ｄは同形状とされ鏡像対象となるように対向配置されている。第２のスリット部４Ｂと第３のスリット部４Ｃはそれぞれ異なる形状でかつ第１のスリット部４Ａ（と、第４のスリット部４Ｄ）とも異なる形状で構成されている。
第１のスリット部４Ａ（と、第４のスリット部４Ｄ）は次のように形成されている。第１のスリット部４Ａ（と、第４のスリット部４Ｄ）はそれぞれ天板１の短辺側端部１ａに隣接して配置されている。これらスリット部４Ａ、４Ｄの形状は複雑であるため形状の理解を容易とするために形状が完成するまでの過程を分解して説明する。まず、図７（ａ）に示すように、スリット部４Ａ、４Ｄの基本形状として天板１の長辺側端部１ｂと直交する等幅（本実施の形態では５ｍｍ）かつ長辺側端部１ｂから等間隔で配置された所定長さ（本実施の形態では１５０ｍｍ）の直線状のベーススリットＬがデザインされている。ベーススリットＬは第１の直線縁Ｌａと第２の直線縁Ｌｂが平行に対向配置されることとなる。このベーススリットＬに対して短辺側端部１ａの中央寄り部分を所定長さ（本実施の形態では９０ｍｍ）切り欠くとベーススリットＬを構成していた直線縁Ｌａが外方に露出させられる（図７（ｂ）の状態）。そして、図７（ｃ）のようにベーススリットＬの両端位置にベーススリットＬに対して直角に折れ曲がったカーブを形成する屈曲部用通路としての長方形通路５を形成するとスリット部４Ａ、４Ｄの形状となる。長方形通路５は外縁５ａで後述する１５０ｍｍの厚みの基礎の立ち上がり部１８と面一となり、内縁５ｂで後述する１２０ｍｍの厚みの基礎の立ち上がり部１８と面一となる。このとき、長方形通路５は切り欠かれた部分までは及ばないように、つまり、せき板２を保持する部分を残すため第１の直線縁Ｌａと対向する第２の直線縁Ｌｂ部分を残すような形状とされる。
【００１４】
第２のスリット部４Ｂと第３のスリット部４Ｃも同様に形状が完成するまでの過程を分解して説明する。図８（ａ）に示すように、第２のスリット部４Ｂは第４のスリット部４Ｄと同様のベーススリットＬがデザインされ、図８（ｂ）のようにベーススリットＬの両端位置にベーススリットＬに対して直角に折れ曲がったカーブを形成する屈曲部用通路としての長方形通路５が形成された形状とされている。第３のスリット部４Ｃは、この図８（ｂ）のデザインの透孔に対して、この図８（ｃ）に示すように天板１の幅方向中央にベーススリットＬと交差するように正方形形状のアンカーボルト用透孔６が形成された形状とされている。
図６に示すように、本実施の形態では、第１のスリット部４Ａ側と第２のスリット部４Ｂの第１の直線縁Ｌａの間隔は５００ｍｍとされている。この間隔が後述する一例としての連通口１９の開口幅とされる。また、第１のスリット部４Ａ側と第３のスリット部４Ｃの第１の直線縁Ｌａの間隔は５５０ｍｍとされている。第１のスリット部４Ａ側と第４のスリット部４Ｄの第１の直線縁Ｌａの間隔は６００ｍｍとされている。各スリット部４Ａ〜４Ｄのベーススリットは等間隔に配置され、かつすべて相互に平行で同じ長さに構成されている。
【００１５】
天板１の第１のスリット部４Ａと第２〜第４のスリット部４Ｂ〜４Ｄとに挟まれた領域には長方形形状に打ち抜き形成された大きな透孔７が形成されている。透孔７のサイズは本実施の形態では縦・横３６０ｍｍ×１３３ｍｍとされている。透孔７を構成する内側縁部において左右の短辺側の縁部７ａに寄った位置の長辺側の縁部７ｂにはそれぞれ対向する一対の第１の切り欠き部８が形成されている。第１の切り欠き部８は方形に形成されている。天板１の一対の長辺側端部１ｂには背中合わせになる二箇所の位置にはそれぞれ一対の第２の切り欠き部９が形成されている。第２の切り欠き部９も方形に形成されている。第２の切り欠き部９は第１の切り欠き部８と配置位置が一直線とはならないずれた位置に形成されている。
【００１６】
次にせき板２について説明する。図２〜図４に示すように、せき板２は両端に直角に折れ曲がった屈曲部１０が長手方向に沿って形成されたチャネル状の外観形態をなすステンレス合金製の板材からなる長尺の部材である。せき板２の幅は第１〜第４のスリット部４Ａ〜４Ｄの横幅と一致し１５０ｍｍとされている（スリット部４Ａ〜４Ｄと干渉せず通過させるためにごくわずかに短い）、厚みはベーススリットＬの厚みよりも若干小さく３ｍｍとされている。
次に底板３について説明する。図３及び図４に示すように、底板３は直方体形状のプラスチック製の硬質の部材である。本実施の形態では５００ｍｍの長さとされている。
【００１７】
次に、図３〜図５に基づいてこれら天板１、せき板２、底板３を使用した連通口用の仕切り枠のセッティング方法の一例について説明する。
まず、図３（ａ）に示すように、基礎の立ち上げ部を形成する際の常法に従って、基礎の立ち上げ部予定位置に配設された鉄筋１３を挟むように型枠１５を設置していく。この段階で床面Ｔにはコンクリートがすでに打設されている。型枠１５は所定間隔（１５０ｍｍの間隔）となるように平行に対向設置する。この間隔において型枠１５の上面フランジ１５ａの縁の間隔は天板１の幅と一致する（そのように天板１が構成されている。型枠間隔に応じてこの幅は設計される）。
そして、まず、連通口を形成する予定位置に底板３を配置する。底板３は対面配置された型枠１５の中央付近（厳密に中央でなくともよい）に型枠１５の面方向に長手方向が平行となるように配置される。次いで、図３（ｂ）及び図４（ａ）のように底板３の上部の型枠１５の上面に天板１を載せる。天板１の長辺側端部１ｂは型枠１５の上面フランジ１５ａの縁と一致するように配置される。透孔７の縁部７ｂに形成された第１の切り欠き部８は型枠１５よりも内側に配置される。
このとき、図４（ａ）に示すように、第１のスリット部４Ａと第２のスリット部４Ｂの第１の直線縁Ｌａは図３（ｂ）及び図４（ｂ）のように底板３の長手方向端面３ａと垂直方向において位置が一致することが求められる。但し、これは最終的に基礎のコンクリートを打設する際に決まっていればよいため、この段階においては概ね垂直と目視で認められる程度の垂直度でよい。
【００１８】
このように天板１と底板３を配置して連通口位置が定まった状態で、図３（ｃ）、図４（ａ）（ｂ）のように第１のスリット部４Ａと第２のスリット部４Ｂ内にせき板２を嵌挿する。せき板２の屈曲部１０内面上方寄りは長方形通路５の外縁５ａと接し、せき板２の屈曲部１０内面下方寄りは底板３の長手方向端面３ａに接する。このようにせき板２は上下で保持されることでコンクリートが打設された際の圧力に耐えることができる。せき板２の幅は対向する型枠１５間と一致するため対向する連通口予定位置の空間はせき板２によって塞がれることとなる。ここで、図示しないレベルをせき板２の外側から、例えば、図４（ｂ）の矢印付近にあてがい、その数値を見て天板１や天板１の位置を微調整し、せき板２が垂直となるように最終調整をする。
せき板２の垂直が確認できた段階で図３（ｃ）のようにクランプ１６で天板１を型枠１５に対して固定し、また型枠１５の間隔を保持する間隔保持金具１７を第１の切り欠き部８位置に連結する。図９に示すように、間隔保持金具１７は本体１７ａ裏面に爪金具２０が固着された部材である。爪金具２０は本体１７ａの長手方向端部寄りに鏡像対象となるように固定されている。爪金具２０は短爪２０Ａと長爪２０Ｂを備え、対向する第１の切り欠き部８内側にそれぞれ短爪２０Ａを、対向する型枠１５の上面フランジ１５ａの縁にそれぞれ長爪２０Ｂを係止させ、それら爪２０Ａ、２０Ｂで挟むことで型枠１５の間隔を保持する。尚、図示しないがこの連通口予定位置以外でも型枠１５は間隔保持金具１７（及び他の保持部材で）で保持される。
このようにしてセッティングされた連通口用の仕切り枠の周囲の型枠１５内にコンクリートを打設する。コンクリートはせき板２にせき止められて連通口予定位置内に浸入することがないため、基礎の立ち上げの一部にコンクリートが及ばない部分、つまり連通口が形成されることとなる。そして、コンクリート養生後に型枠１５等と一緒に天板１、せき板２、底板３等をすべて取り外す。これによって図５に示すような１５０ｍｍの厚みの基礎の立ち上がり部１８の一部に５００ｍｍの開口部サイズの連通口１９が形成されることとなる。
【００１９】
次に上記セッティングのバリエーションについて簡単に説明する。
上記のようにこの実施の形態では第１のスリット部４Ａと第２のスリット部４Ｂの間隔（つまり５００ｍｍサイズ）で連通口１９の開口部が設定された。図６に基づいて天板１の第２又は第３のスリット部４Ｃ、４Ｄを使用して異なるサイズの開口部幅の連通口１９を形成させる場合について説明する。
上記と同様にせき板２を第１のスリット部４Ａに嵌挿し、これを基準として５５０ｍｍ離間した位置にある第３のスリット部４Ｃに上記と同じせき板２を嵌挿する。このとき使用する底板３は長さ５５０ｍｍのものとされる。この間隔でセッティングすれば連通口１９の開口部幅は５５０ｍｍとなる。
上記と同様にせき板２を第１のスリット部４Ａに嵌挿し、これを基準として６００ｍｍ離間した位置にある第４のスリット部４Ｄに上記と同じせき板２を嵌挿する。このとき使用する底板３は長さ６００ｍｍのものとされる。この間隔でセッティングすれば連通口１９の開口部幅は６００ｍｍとなる。これらは連通口１９の間口方向のバリエーションの例である。
【００２０】
上記では対向する型枠１５は１５０ｍｍの間隔で配置されていたが、図６のように型枠１５がより狭い間隔で（この図では１２０ｍｍ）で配置されている場合にも同じ天板１を使用することが可能である。つまり、基礎の立ち上がり部１８の幅（厚み）の違いに対応することができる。その場合には図２で示すせき板２の幅は１２０ｍｍとされる。１２０ｍｍ幅のせき板２を使用するとせき板２はスリット部４Ａ〜４Ｄに嵌挿された際に内縁５ｂと接する。各スリット部４Ａ〜４Ｄの長方形通路５間の間隔は最も外方で１５０ｍｍとされ、最も内方で１１４ｍｍとされている。横幅１５０ｍｍサイズのせき板２も横幅１２０ｍｍサイズのせき板２もスリットに嵌挿された状態で対向する型枠１５間にぴったりと収まることとなる。
一方、図６のように型枠１５の間隔が１２０ｍｍでは第１の切り欠き部８は間隔保持金具１７の取り付けには対応できない。型枠１５の上面フランジ１５ａの縁は天板１の長辺側端部１ｂよりも内側に配置されてしまっているからである。そのため、間隔保持金具１７は型枠１５内面に短爪２０Ａを、第２の切り欠き部９に長爪２０Ｂをそれぞれ係止させて型枠１５の間隔を保持することができる。図３（ｂ）における第１の切り欠き部８から天板１の長辺側端部１ｂまでの距離は第２の切り欠き部９から図６位置の型枠１５内面までの距離は一致するため、同じ間隔保持金具１７を使用することができる。本実施の形態では第１の切り欠き部８と第２の切り欠き部９の深さを調整して同じ間隔保持金具１７を使用することができるようにしたが、２つの爪の間隔の異なる間隔保持金具や間隔保持金具の２つの爪の間隔が可変であるタイプの場合には、上記以外の任意の幅（厚み）の型枠１５の間隔に対応することができる。
【００２１】
以上のような実施の形態によって次のような効果が奏される。
（１）天板１の第１のスリット部４Ａと第４のスリット部４Ｄの間隔と底板３は固定化されているため、現場で計測しなくとも予定された開口幅の連通口１９を作ることができる。
（２）決まったサイズの天板１にせき板２を挿し込むだけで連通口用の仕切り枠のセッティングができるため、作業効率が向上する。
（３）天板は２種類の厚みの立ち上がり部１８に対応して１５０ｍｍサイズと１２０ｍｍサイズのせき板２を使用することができ、せき板２の屈曲部１０はいずれのサイズでも長方形通路５内の外縁５ａと内縁５ｂに当接して保持されるため、安定性がよい。また、このような屈曲部１０を設けているため打設したコンクリートの流入も防止しやすい。また、せき板２は屈曲部１０が形成されているため、曲げに強くコンクリート打設の際に曲がりにくい。
（４）天板１は複数の異なる位置にスリット部４Ａ〜４Ｄが形成され、せき板２の間隔を容易に変更することが可能となっているため、施工条件が変わった場合でも同じ天板１でその条件に応じた開口部幅（間口）の連通口１９を形成することが可能である。
（５）第１の切り欠き部８とは異なる位置に第２の切り欠き部を設けているため、天板１は異なる厚みとなる基礎の立ち上がり部１８を構築するための型枠１５の間隔変更があっても同じ間隔保持金具１７を使用することができる。
（６）天板１の第１のスリット部４Ａと第４のスリット部４Ｄは短辺側端部１ａがカットされているため、せき板２を嵌挿した際に垂直度を測定するためのレベルをせき板２に当接して数値を読み取る際に天板１がそのレベル接地の邪魔になったり読み取りの邪魔になったりすることがない。
（７）一般に基礎の立ち上がり部１８の上面に突設されるアンカーボルトは連通口１９位置と連通口１９に近接した位置には配置されないが、設計上連通口１９に隣接した位置には配置される可能性がある。そうすると本実施の形態の天板１のように他方に複数のスリット部４Ｂ〜４Ｄの領域を設けることによっていずれかのスリットがアンカーボルトと干渉してしまい天板１を設置できなくなる可能性がある。本実施の形態の天板１には複数のスリット部４Ｂ〜４Ｄの領域の途中（中間位置）にアンカーボルト用透孔６を設けているためアンカーボルトとの干渉を避けることが可能となる。
【００２２】
上記実施の形態は本発明の原理およびその概念を例示するための具体的な実施の形態として記載したにすぎない。つまり、本発明は上記の実施の形態に限定されるものではない。本発明は、例えば次のように変更した態様で具体化することも可能である。
・上記実施の形態の天板１やせき板２や底板３の形状や寸法や材質等の条件は一例であり、本発明の目的を実行できる限り変更した態様で構成することは自由である。
・上記実施の形態の天板１のスリット部４Ａ〜４Ｄの形状や寸法は一例である。本発明の目的を実行できる限り変更した態様で構成することは自由である。
・上記では間隔保持部材としての底板３は直方体形状であったが、両端に配置される一対のせき板２を保持できるのであれば、特に形状や材質は限定されるものではない。
・上記では図７、図８に記載された順でスリット部４Ａ〜４Ｄを想定したが、これはスリット形状の理解のために複数の形状を組み合わせて説明したものであり、他の類似スリット形状をこのような順によらずデザインすることも自由である。
・上記において天板１、せき板２、底板３の施工順序は一例であり上記に限定されるものではない。例えば天板１を一番先に型枠１５上に配置したり、せき板２を天板１に嵌挿させた状態で型枠１５上に配置するようにしてもよい。クランプ１６や間隔保持金具１７も同様である。
・第２〜第４の三つのスリット部４Ｂ〜４Ｄは等間隔に配置されていたが等間隔でなくともよい。また、二つあるいは四つ以上のスリットでこの領域が構成されていてもよい。
・アンカーボルト用透孔６は第３のスリット部４Ｃと交差する位置に形成されていたが、天板１の長さや複数のスリットの数や間隔によってはアンカーボルト用透孔６の位置をずらしたり、数を増やしたりすることは自由である。
・固定手段としてはクランプ１６以外の手段でも天板１を型枠１５に対して固定できるものであればよい。例えば、天板１と型枠１５との間にクサビ穴を設け、クサビを打ち込んだり、例えばボルトを天板１と型枠１５間に連通させたボルト穴に挿通しナットを使用して締め付けるようにしてもよい。
・上記では天板１の片側に第２〜第４のスリット部４Ｂ〜４Ｄを設けるようにしていたが、このように複数のスリットを設けず、図１０に示すように、第１のスリット部４Ａと鏡像対象となる他方の端位置に第１のスリット部４Ａと同形状のスリットを１つだけ設けるように構成した天板２１としてもよい。これによって天板２１は単一の幅にのみ対応することとなるため、より簡便で軽量化することとなる。尚、図１０においては実施の形態の天板１と同じ構成については同じ番号を付すことで説明を省略する。
【００２３】
本願発明は上述した実施の形態に記載の構成に限定されない。上述した各実施の形態や変形例の構成要素は任意に選択して組み合わせて構成するとよい。また各実施の形態や変形例の任意の構成要素と、発明を解決するための手段に記載の任意の構成要素または発明を解決するための手段に記載の任意の構成要素を具体化した構成要素とは任意に組み合わせて構成するとよい。これらについても本願の補正または分割出願等において権利取得する意思を有する。
また、意匠出願への変更出願により、全体意匠または部分意匠について権利取得する意思を有する。図面は本装置の全体を実線で描画しているが、全体意匠のみならず当該装置の一部の部分に対して請求する部分意匠も包含した図面である。例えば当該装置の一部の部材を部分意匠とすることはもちろんのこと、部材と関係なく当該装置の一部の部分を部分意匠として包含した図面である。当該装置の一部の部分としては、装置の一部の部材としてもよいし、その部材の部分としてもよい。
【符号の説明】
【００２４】
１…天板、２…せき板、３…間隔保持部材としての底板、４Ａ〜４Ｄ…スリットを有するスリット部、１５…型枠、１８…立ち上がり部、１９…連通口。
【図１】
2020094368.tif 000003
【図２】
2020094368.tif 000004
【図３】
2020094368.tif 000005
【図４】
2020094368.tif 000006
【図５】
2020094368.tif 000007
【図６】
2020094368.tif 000008
【図７】
2020094368.tif 000009
【図８】
2020094368.tif 000010
【図９】
2020094368.tif 000011
【図１０】
2020094368.tif 000012